(57)【要約】【課題】  デジタルテレビ放送の同一コンテンツの複数のストリーム配信においても、同一コンテンツの全てのストリームに対してスリップ再生を行えるようにすること。【解決手段】  混合ストリームから分離した各ストリームを、対応する各リングバッファにそれぞれ記録時刻の時間情報と共に記録して、リングバッファからの再生においては、各リングバッファからの時間情報の時刻が同期して得られるストリーム順序にて、各リングバッファを同期再生する。【選択図】      図１
2005251330.tif 000002
【特許請求の範囲】
【請求項１】
複数のストリームから構成される情報信号を、連続的に上書き記録するリングバッファを備え、前記情報信号の記録、再生を行う情報記録再生装置であって、
前記情報信号をそれぞれのストリームに分離するストリーム分離手段と、
分離された各ストリームを、それぞれに対応する各リングバッファへ、それぞれ連続的に環状に上書き記録するリングバッファ記録手段と、
前記各リングバッファに前記ストリームに関する時間情報を記録する時間情報記録手段と、
前記各リングバッファから前記時間情報を再生する時間情報再生手段と、
再生された前記時間情報に基づき、前記各リングバッファから、各ストリームを同期させて連続的に再生するリングバッファ再生手段と、
再生された複数のストリームから１つのストリームを択一選択して出力するスイッチ手段とを、
具備することを特徴とする情報記録再生装置。
【請求項２】
請求項１に記載の情報記録再生装置において、
前記リングバッファ再生手段は、ユーザの指定した時間からの再生を行い、前記スイッチ手段は、ユーザの指定したストリームの択一選択を行うことを特徴とする情報記録再生装置。
【請求項３】
請求項１に記載の情報記録再生装置において、
前記各リングバッファは、半導体メモリに複数のリングバッファ領域として確保されたものであることを特徴とする情報記録再生装置。
【請求項４】
請求項１に記載の情報記録再生装置において、
前記リングバッファ記録手段と前記リングバッファ再生手段は、並行して動作することを特徴とする情報記録再生装置。
【請求項５】
請求項１に記載の情報記録再生装置において、
前記各リングバッファの領域サイズは、前記ストリームの単位時間当たりの情報量に関係なく全て同一の固定サイズであることを特徴とする情報記録再生装置。
【請求項６】
請求項５に記載の情報記録再生装置において、
前記各リングバッファの領域として、前記ストリームの単位時間当たりの情報量に関係なく、全て同一の固定時間の領域を確保することを特徴とする情報記録再生装置。
【請求項７】
請求項５に記載の情報記録再生装置において、
前記各リングバッファは、ハードディスクに複数のリングバッファ領域として確保されたものであることを特徴とする情報記録再生装置。
【請求項８】
請求項１に記載の情報記録再生装置において、
前記した複数のストリームから構成される前記情報信号を、そのままの状態、または、各ストリームが織り込まれたインターリーブ並びの状態で、記憶するディスク状記録媒体を備えることを特徴とする情報記録再生装置。
【請求項９】
請求項８に記載の情報記録再生装置において、
前記ストリーム分離手段に入力する信号を、前記ディスク状記録媒体から再生された報信号、または、チューナ部で受信同調した前記情報信号の何れか一方に選択する切り替え手段を備えることを特徴とする情報記録再生装置。
【請求項１０】
請求項１に記載の情報信号記録再生装置において、
前記ストリーム信号は、映像信号および音声信号をデジタル圧縮した信号であって、前記スイッチ手段から択一選択されて出力される前記ストリームを、元の映像信号および音声信号にそれぞれ伸張する情報伸張手段と、該情報伸張手段から出力される映像信号および音声信号を同期して表示・音声出力させるモニタ手段とを、備えることを特徴とする情報記録再生装置。
【請求項１１】
請求項１記載の情報信号記録再生装置において、
前記各ストリーム信号は、単位時間当たりのデータサイズがそれぞれ異なることを特徴とする情報記録再生装置。
【発明の詳細な説明】
【技術分野】
【０００１】
本発明は、複数の映像信号ストリームを同時に記録し、所望のストリームを再生する情報記録再生装置に係り、特に、大容量の一時記憶ストレージ手段を備えることにより、同一コンテンツにおける複数の映像プレイバック機能などの多様な再生形態が実現可能な技術に関する。
【背景技術】
【０００２】
映像信号、音声信号及びこれらに関する情報信号は、デジタル伝送技術の発展により、デジタルテレビ放送という形で商用化が可能となりつつある。たとえば、デジタルテレビ放送では、従来のアナログテレビ放送の信号よりも、高画質の映像、高音質な音声の伝送か可能であり、さらに伝送チャンネル数も多くなることから、使い勝手のよい、将来性が期待されるサービスである。
【０００３】
デジタルテレビ放送は、現行の放送周波数帯域（ＵＨＦ帯域）を利用して、送信される予定である。ＵＨＦ帯域は、６ＭＨｚの周波数帯域を持ち、この帯域にデジタルテレビ放送は、２０Ｍｂｐｓの情報を伝送することが可能である。たとえば、高画質ＴＶ放送（ＨＤＴＶ放送）は、１チャンネル、現行アナログ放送並の画質のＴＶ放送（ＳＤＴＶ放送）は、３チャンネル〜５チャンネル程度のストリームを伝送することが可能である。このため、たとえば、上記複数のＳＤＴＶ放送には、同一コンテンツ（スポーツ中継など）を複数の角度から見たカメラワークで配信することも可能である。
【０００４】
このように、デジタルテレビ放送は、１台のデジタルテレビチューナにおいて、同時に複数のストリームを受信することができ、使い勝手の拡大が期待されている。
【０００５】
一方、前記デジタルテレビ放送により放送される番組（コンテンツ）を受信し、当該コンテンツであるデジタル伝送情報（以下、ストリームと記す）を記録可能であるＤＶＤメディアあるいはハードディスクに記録するようにした、ＤＶＤレコーダやＨＤＤレコーダが開発されている。
【０００６】
そして、このように、記録媒体にＤＶＤやハードディスクを用いることにより、現在放送されている番組（コンテンツ）の録画を行いつつ、同一番組の先行した記録済み部分の再生を同時に行うことができる機能（以下、これをスリップ再生と記す）が実現でき、従来の磁気テープを用いたＶＴＲでは実現不可能であった、利便性のよい新しい記録／再生機能をユーザに提供できるようになってきている。
【発明の開示】
【発明が解決しようとする課題】
【０００７】
ところで、スリップ再生においては、たとえばＨＤＤを例にあげると、録画動作と再生動作を交互に繰り返す必要があり、そのため、ＨＤＤの記録再生ヘッドは、記録済みの部分を検索し、位置付けし、読み出す動作をし、次に、現在のコンテンツを記録するために、記録許可部分を検索し、位置付けし、記録する動作を繰り返し行うことになる。すなわち、ＨＤＤの記録再生ヘッドの可動部分には、従来のパソコンのストレージ動作とは比較にならないくらいの動作負担がかかり、このため短寿命化が問題となる。
【０００８】
さらに、通常、前記デジタルテレビ放送において、１つのストリームのみが１つのコンテンツと対応している場合には、従来の考え方によるスリップ再生で問題はないが、コンテンツ配信チャンネルが豊富であるデジタルテレビ放送において、前記したよう同一コンテンツ（スポーツ中継など）で、かつ、複数のストリームが配信された場合には、スリップ再生は、従来の機器では単一ストリームだけの機能をもつものであるため、複数のストリーム配信を行うサービスを、十分に活かしきれないことになる。
【０００９】
本発明は上記の点に鑑みなされたもので、その目的とするところは、デジタルテレビ放送の同一コンテンツの複数のストリーム配信においても、同一コンテンツの全てのストリームに対してスリップ再生を行うことができるようにすることにある。また、本発明の目的とするところは、スリップ再生動作におけるＨＤＤ、ＤＶＤの動作負担をなくす、あるいは、それを大幅に軽減することにある。
【課題を解決するための手段】
【００１０】
上記した目的を達成するため、本願による情報記録再生装置の代表的な発明では、
複数のストリームから構成される情報信号を、それぞれのストリームに分離するストリーム分離手段と、
分離された各ストリームを、それぞれに対応する各リングバッファへ、それぞれ連続的に環状に上書き記録するリングバッファ記録手段と、
各リングバッファに前記ストリームに関する時間情報を記録する時間情報記録手段と、
各リングバッファから時間情報を再生する時間情報再生手段と、
再生された時間情報に基づき、各リングバッファから、各ストリームを同期させて連続的に再生するリングバッファ再生手段と、
再生された複数のストリームから１つのストリームを択一選択して出力するスイッチ手段とを、
具備した構成をとる。  
また、前記リングバッファ再生手段は、ユーザの指定した時間からの再生を行い、前記スイッチ手段は、ユーザの指定したストリームの択一選択を行うように、構成する。  
また、前記した複数のストリームから構成される前記情報信号を、そのままの状態、または、各ストリームが織り込まれたインターリーブ並びの状態で、記憶するディスク状記録媒体と、前記ストリーム分離手段に入力する信号を、ディスク状記録媒体から再生された報信号、または、チューナ部で受信同調した前記情報信号の何れか一方に選択する切り替え手段とを、具備した構成をとる。  
また、前記各リングバッファの領域として、ストリームの単位時間当たりの情報量に関係なく、全て同一の固定時間のリングバッファ領域として確保するように、構成する。
【発明の効果】
【００１１】
本発明によれば、デジタルテレビ放送からの混合ストリームをそれぞれ分離し、複数のリングバッファに、それぞれ分離したストリームを該ストリームの記録時刻の時間情報とともに記録し、再生においては、時間情報の時刻が各ストリームで同期して得られるように、各ストリームの同期再生を行って、スイッチで再生出力するストリームを変更することで、混合ストリームの各ストリームについてのスリップ再生（時間軸シフト再生）が実現でき、したがって、ユーザは、所望のタイミングで所望のストリームに変更して、視聴を行うことができる。すなわち、デジタルテレビ放送の同一コンテンツの複数のストリーム配信においても、全ストリームに対して同一時間軸でのスリップ再生を行うことができる（同一コンテンツにおける複数の映像プレイバックが実現できる）。
【００１２】
また、デジタルテレビ放送からの混合ストリームの状態のまま大容量のディスク状記録媒体（ハードディスクなど）へ記録し、再生時にストリーム分離を行うことで、同時に複数のストリーム記録を行う場合のＨＤＤなどの記録位置付け動作をそれぞれのストリームについて行う必要がなくなり、これにより、好適な連続記録状態を維持することができ、ＨＤＤなどのメカニズム動作負担を可及的に低減することが可能となる。
【００１３】
また、デジタルテレビ放送の同一コンテンツの各ストリームの情報レートが異なる場合においても、最高の情報レートにおけるリングバッファの記録時間を、全ての情報レートに適応することで、各情報レートにおいてリングバッファ領域へ連続・シーケンシャルなストリーム記録を行うことができ、このため、ＨＤＤなどの記録位置付けを繰り返し行う必要はなく、連続ストリーム記録に好適な情報記録再生装置を実現できる。
【発明を実施するための最良の形態】
【００１４】
以下、本発明の実施の形態を、図面を用いて説明する。
【００１５】
図１は、本発明の第１実施形態に係る情報記録再生装置の構成を示すブロック図である。本第１実施形態の情報記録再生装置は、デジタルテレビ放送における複数のストリーム放送を、時間軸をずらしてそれぞれ同期して視聴することを主眼とした構成例となっている。前記複数のストリームとしては、ここでは、デジタルテレビ放送を例に挙げて説明をするが、特にこれに限られるものではなく、いかなる情報信号であっても本願は適用可能である。
【００１６】
前記したように、デジタルテレビ放送は、同一のテレビ放送帯域内に、ＳＤＴＶ放送並の画質であれば、３〜５チャンネル程度のストリームを一度に配信することができる。デジタルテレビ放送受信機は、該複数のストリームを一度に受信でき、必要であれば、すべてのストリームを記録、あるいは、選択したストリームだけを記録することができる。従来のアナログテレビジョン方式では、１つのテレビ放送帯域内には１つのコンテンツだけが配信されていた。しかし、デジタルテレビ放送にすることで、たとえば、スポーツ中継などは、複数の視角が異なるカメラ映像を、一度に前記同一テレビ放送帯域にて配信することができる。
【００１７】
以下、本第１実施形態では、スポーツ中継などの同一コンテンツで、かつ、複数（ここでは３つで説明するが、この数には限定されるものではない）のストリームからなるデジタルテレビ放送に対して、時間軸をずらして視聴する（以下、これをストリームの同期スリップ再生と記す）が可能な構成をとっている。
【００１８】
図１において、１はデジタルテレビチューナ部、２はストリーム分離部、３は第１のリングバッファ、４は第２のリングバッファ、５は第３のリングバッファ、６はスイッチ部、７はデコーダ部、８はモニタ部、９はＴＣ（Time Code；時間情報）発生部、１０はＴＣＷＲ（Time Code Write；時間情報書込）部、１１は装置全体の制御を司るマイコン、１２はＴＣＲＤ（Time Code Read；時間情報読出）部、１３はＡＤＲ（Address；アドレス）発生部、１４はシステムバス、１５はチャンネル選択入力部、１６は受信入力部である。なお、本第１実施形態では、第１、第２、第３のリングバッファ３、４、５は、単一の半導体メモリに、３つのそれぞれ独立したリングバッファ領域としてそれぞれ確保されたもので、構成されている。
【００１９】
本第１実施形態の情報記録再生装置は、図１に示すように、受信入力部１６からデジタルテレビ放送信号が入力され、チャンネル選択入力部１５からのユーザ希望チャンネルの選択指示を受けたデジタルテレビチューナ部１が、入力されてきたデジタルテレビ放送信号を同調受信して、これにより、たとえば３つのストリームが複合された混合ストリームが得られるようになっている。
【００２０】
混合ストリームは、ストリーム分離部４に入力される。ここで、混合ストリームについて、図３を用いて説明する。図３に示した混合ストリームは、同一コンテンツ（たとえばスポーツ中継）の３つのストリームが、所定のデータ長ごとにそれぞれインターリーブ（交互にサンドイッチされた状態）されて、伝送されている。ここでは、説明をわかりやすくするために、インターリーブされた混合ストリームで説明するが、本方式に限定されることはない。少なくとも、１系統の同一ストリームに、複数のストリームが含まれている構成であれば、どのような構成でもあっても構わない。
【００２１】
図３の混合ストリームは、ストリームＡ、ストリームＢ、ストリームＣが、所定データ長ごとに、Ａ−１、Ｂ−１、Ｃ−１、次にＡ−２、Ｂ−２、Ｃ−２、次にＡ−３、Ｂ−３、Ｃ−３というように、順次３つのストリームが混合されて伝送されている。
【００２２】
なお、デジタルテレビチューナ部１で同調するチャンネルを、チャンネル選択入力１５によって別のチャンネルに切り替えることにより、上記した混合ストリームとは異なる混合ストリームを得ることができるのは言うまでもない。
【００２３】
ストリーム分離部２に入力された図３の混合ストリームは、それぞれストリームＡ、ストリームＢ、ストリームＣに分離される。混合ストリームの各ストリームＡ、ストリームＢ、ストリームＣには、ストリームブロック識別情報が各ストリームの先頭に刻みこまれており、ストリーム分離部２は、ストリームブロックの識別情報を認識することで、各ストリームを所定データ長ごとに分離して、それぞれ出力する。
【００２４】
分離された各ストリームＡ、Ｂ、Ｃは、それぞれ異なるリングバッファ（第１のリングバッファ３、第２のリングバッファ４、第３のリングバッファ５）に入力される。ここで、リングバッファについて説明する。リングバッファは、一時記憶領域、たとえば半導体メモリあるいはハードディスクなどのような、ランダムなアドレズに対してデータをリード／ライト可能な記憶媒体の、所定のアドレスを上限とし、該アドレスまで記録あるいは再生を行った後、リングバッファの最初のアドレスに戻り、記録の場合は上書き（循環記録）、再生の場合は循環再生を行うものである。
【００２５】
図２に、本第１実施形態におけるリングバッファのアドレス発生動作の様子を示す（なお、リングバッファのアドレス発生動作については、後述する実施形態においても同様である）。
【００２６】
図２に示すように、たとえば、メモリアドレスの先頭アドレス（ＡＤＲ００）から（ＡＤＲ０１−１）までを第１のリングバッファ３、メモリアドレスの先頭アドレス（ＡＤＲ０１）から（ＡＤＲ０２−１）までを第２のリングバッファ４、メモリアドレスの先頭アドレス（ＡＤＲ０２）から（ＡＤＲ０３−１）までを第３のリングバッファ５にそれぞれ割り当て、それぞれのリードアドレスＲＤ１、ＲＤ２、ＲＤ３及びライトアドレスＷＲ１、ＷＲ２、ＷＲ３は、それぞれのリングバッファアドレスの上限まで到達すると、各リングバッファの先頭アドレスへ戻るように、メモリアドレスがリング状に閉じた形で生成されるように構成されている。
【００２７】
たとえば、第１のリングバッファ３においては、矢印ＷＲ１の部分が現在記録している部分のアドレスであり、このアドレスポインタは、第１のリングバッファ３を順次循環記録するように、ループカウントする。第１のリングバッファ３へのメモリデータとしては、たとえば、前記ストリームの所定データ長のＡ−１、Ａ−２、Ａ−３などのように、順次ストリームデータが格納される。
【００２８】
ここで、上記の記録アドレスと並行して、たとえば、第１のリングバッファ３に対して、ＲＤ１という再生（読み出し）アドレスを生成するようになっており、記録動作と並行して再生動作を行わせることにより、記録動作と同時に、記録とは異なる（同じでもよい）アドレスを再生することができる。リングバッファへの記録と再生の並行動作は、デュアルポートメモリ、あるいは、擬似的に記録動作と再生動作が時分割で動作する構成のメモリであれば、実現可能である。
【００２９】
矢印ＲＤ１の部分が現在再生している部分のアドレスであり、このアドレスポインタはは、ＷＲ１より先のアドレスが指定されないように構成されており、ストリームの同期スリップ再生（時間軸シフト再生）は、少なくともポインタＷＲ１以前から、リングバッファ容量相当分の過去の記録ストリームを再生することで、行われるようになっている。
【００３０】
第２のリングバッファ４、第３のリングバッファ５におけるアドレス発生についても、第１のリングバッファ３と同様である。
【００３１】
このように、リングバッファを用いることにより、ユーザが希望する時間にさかのぼって、デジタルテレビ放送を視聴することができる。本発明は、リングバッファをデジタルテレビの同一コンテンツの複合ストリームに対して、有効活用できるように創案したものであり、このために、複数のリングバッファを用いるようにしている。
【００３２】
図１に戻ってさらに説明を続ける。前記したように分離されたストリームＡ、ストリームＢ、ストリームＣは、それぞれ第１のリングバッファ３、第２のリングバッファ４、第３のリングバッファ５に入力されて、記憶される。このとき、各リングバッファに入力されて記憶される各ストリームには、これに対応付けて、ＴＣ発生部９により生成した記録時刻の時間情報が、ＴＣＷＲ部１０によって付加されるようになっており、各ストリームに時間情報をそれぞれ織り込んだ形で、対応する各リングバッファに、順次、ストリームをそれぞれ記録していく。
【００３３】
前記した図３には、ストリームＡ、ストリームＢ、ストリームＣのそれぞれについて、各所定データ長のストリームに時間情報が織り込まれた例を示している。Ａ−１に対する時間情報はＴＡ１、Ａ−２に対する時間情報はＴＡ２、Ａ−３に対する時間情報はＴＡ３であり、Ｂ−１に対する時間情報はＴＢ１、Ｂ−２に対する時間情報はＴＢ２、Ｂ−３に対する時間情報はＴＢ３であり、Ｃ−１に対する時間情報はＴＣ１、Ｃ−２に対する時間情報はＴＣ２、Ｃ−３に対する時間情報はＴＣ３であり、このような形式で、時間情報と各所定データ長のストリームが対応するように、一時記録用のストリームＡ、ストリームＢ、ストリームＣが形作られて、それぞれが各リングバッファ上へと記録される。この際の各リングバッファへの記録指示アドレスは、ＡＤＲ発生部１３により生成される。
【００３４】
次に、各リングバッファの同期スリップ再生（時間軸シフト再生）について、図１を用いて説明する。前記各リングバッファの記録アドレスとは別に、各リングバッファの再生アドレスは、記録アドレスと時分割に、ＡＤＲ発生部１３より出力される。本発明では、時分割に記録動作と再生動作を繰り返すことにより、実時間上、記録動作と再生動作とが並行して行われるようにしてある。つまり、同一記録媒体に対して、記録動作と再生動作が、等価に独立して行えるように構成されている。
【００３５】
各リングバッファを読み出すための再生アドレスの生成は、各ストリームの時間情報をＴＣＲＤ部１２によって読み出して、これを参照して、それぞれのストリームの読み出し時間情報が同じ時刻になるように、それぞれのリングバッファに対する再生アドレスを、ＡＤＲ発生部１３が生成することによって行われる。
【００３６】
なお、ユーザの指示により、各リングバッファから再生を開始する当初の再生アドレスを決定できるようになっていて、ユーザの指示する再生開始時刻（たとえば、現在時刻の何分前からの再生開始などの指示）を認知したマイコン１１が、ＡＤＲ発生部１３を制御することにより、ＡＤＲ発生部１３がユーザの指示した箇所から再生が開始されるように、再生アドレスを生成するようにもなっている。
【００３７】
図３に示した同期カウンタは、各リングバッファのストリームをすべて同一の記録時刻に合わせて同期再生するためのもので、たとえば、ストリームＡのＴＡ１、ストリームＢのＴＢ１、ストリームＣのＴＣ１の時刻が、同期カウンタ「１」のタイミングで一致するように、各リングバッファの再生（読み出し）アドレスが生成されて、ストリームＡのＴＡ１、ストリームＢのＴＢ１、ストリームＣのＴＣ１が同期して読み出されるようになっている。以下同様に、同期カウンタ「２」、「３」、…、「ｎ」に、それぞれのストリームのブロックが同期されて、順次読み出しが行われる。
【００３８】
上記の再生アドレスの生成を図２を用いて補足する。３つリングバッファの３つストリームの時間情報（ＴＣ）を、前記ＴＣＲＤ部１２により読み出し、各リングバッファの再生アドレスの生成を行う前記ＡＤＲ発生部１３のＲＤ Ｓｙｎｃ ＡＤＲ発生部１３ｂにより、３つのＴＣが同じ時刻になる再生アドレスＲＤ１、ＲＤ２、ＲＤ３をそれぞれ生成する。一方、リングバッファの記録アドレスの生成においては、各リングバッファの記録アドレスの生成を行うＡＤＲ発生部１３のＷＲ ＡＤＲ発生部１３ａにより、上記のＲＤ１、ＲＤ２、ＲＤ３よりも時間軸上で先行するように、記録アドレスＷＲ１、ＷＲ２、ＷＲ３アドレスを生成し、順次各ストリームを記録する。
【００３９】
なお、前記した各ストリーム信号は、それぞれ単位時間あたりのデータ量が異なって配信されるケースもある。しかし、上述したように、それぞれの再生（読み出し）アドレスは、各ストリームに対応する時間情報を検出して、この時間情報が同期して再生されるべく生成され出力されることから、順次、各ストリームは同期されて読み出される。
【００４０】
各リングバッファから読み出されたストリームは、スイッチ部６により、ユーザが選択指定したストリームＡあるいはストリームＢあるいはストリームＣの１つが出力され、択一選択されたストリームがデコーダ部７に入力される。デコーダ７部は、入力されてきたストリームを元の映像信号と音声信号に復元して、モニタ部（音声出力部を含むものとなっている）８へ映像信号、音声信号を出力する。
【００４１】
また、スイッチ部６へは、ユーザの選択指示に応じたマイコン１１からの切り替え信号が入力されて、これによりスイッチ部６は、入力ストリームの切り替えを行うようになっている。
【００４２】
したがって、スイッチ部６で選択するストリームを変更することで、ユーザは、実時間で放送されるデジタルテレビ放送の同一コンテンツの混合ストリームにおけるストリームを、所望のタイミングで所望のストリームに自由に変更して、鑑賞することができる。よって、スポーツ中継などにおける混合ストリーム放送においては、混合ストリームの利点を活かして、混合ストリームの各ストリームについてのスリップ再生（時間軸シフト再生）を行うことができるので、視聴の利便性を大いに高めることができる。
【００４３】
以上のように、本第１実施形態では、混合ストリームから分離した各ストリームを、対応する各リングバッファにそれぞれ記録時刻の時間情報と共に記録して、リングバッファからの再生においては、各リングバッファからの時間情報の時刻が同期して得られるストリーム順序にて、各リングバッファを同期再生することにより、混合ストリームの各ストリームについてのスリップ再生（時間軸シフト再生）が実現できる。
【００４４】
また、本第１実施形態では、各リングバッファを半導体メモリで構築しているので、スリップ再生には、ＨＤＤ、ＤＶＤドライブなど可動メカニズムをもつドライブを用いることがないので、スリップ再生において、従来のようにＨＤＤ、ＤＶＤドライブなどに動作負担がかかることは一切ない。なお、図４に示した、２１のコンテンツ管理情報管理領域と、２２のストリーム格納領域は、図１では示されていないが、ＨＤＤのディスク（記憶媒体）に設けられる領域で、ストリーム格納領域２２には、ユーザの指示に基づき、各リングバッファの全てのストリーム、あるいは、ユーザの選択したストリームのみが、リングバッファから転送されて格納されるようになっており、また、コンテンツ管理情報管理領域２１には、ストリーム格納領域２２に格納したストリームについての管理情報が格納されるようになっている。
【００４５】
次に、本発明の第２実施形態に係る情報記録再生装置について説明する。本第２実施形態は、前記した混合ストリームを大容量の記録媒体、たとえば、ハードディスクあるいは光ディスクなどに記録し、かつ、前記第１実施形態と同様に、混合ストリームの各ストリームを同期してスリップ再生（時間軸シフト再生）できるようにしたものである。
【００４６】
図４は、本発明の第２実施形態に係る情報記録再生装置の構成を示すブロック図であり、同図において、図１に示した第１実施形態と同一の構成要素には、同一符号を付してある。なお、図４に示した本例では、大容量ストレージとしてＨＤＤを例にとっているが、これに限るものではない。
【００４７】
図４において、４１は入力混合ストリーム切り替え部（スイッチ部）、４２は混合ストリーム記録Ｉ／Ｆ（インターフェース）部、４３は混合ストリーム再生Ｉ／Ｆ部、４４はＨＤＤ（ハードディスクドライブ）Ｉ／Ｆ部、４５はＨＤＤである。
【００４８】
図３に示した混合ストリームの各ストリームが、同一のコンテンツから構成されている場合には、全ストリームをＨＤＤ４５（のハードディスク）へ記録するニーズは高く、本第２実施形態では、混合ストリームの状態のままでハードディスクへ記録するように構成してある。デジタルテレビチューナ部１から出力される混合ストリームは、混合ストリーム記録Ｉ／Ｆ部４２にて、ハードディスクの記録プロトコルに変換されて、マイコン１１の制御のもとに、システムバス１４に入力される。システムバス１４に入力された混合ストリームは、マイコン１１の制御のもとに、ＨＤＤＩ／Ｆ部４４に入力され、ＨＤＤＩ／Ｆ部４４によりＨＤＤ４５のハードディスクに、所定のデータ長毎に混合ストリームが連続的に記録される。
【００４９】
このように、混合ストリームの状態、あるいは、各ストリームが織り込まれたインターリーブ並びの状態で、記録することの利点は大である。すなわち、各ストリームを分離し、独立したストリームの状態で個々に記録する場合に較べると、混合ストリームの状態のままで記録するようにした方が、各ストリーム記録毎に記録位置付け動作をする必要がないので、ＨＤＤ４５は、連続にシーケンシャル記録することができる。ＨＤＤにおいて、記録、再生の位置付け動作を繰り返し行うことは、可動メカニズムの寿命を極端に短くすることにつながるが、本第２実施形態では、限りなく、上記の位置付け動作を少なくすることが可能となる。
【００５０】
次に、ＨＤＤ４５から、混合ストリームを再生する際の動作を説明する。マイコン１１から混合ストリームの再生指示がＨＤＤＩ／Ｆ部４４に与えられると、ＨＤＤＩ／Ｆ部４４は、ＨＤＤ４５（のハードディスク）から所定データ長毎に、混合ストリームの読み出しを行い、読み出された混合ストリームは、マイコン１１の制御のもとに、システムバス１４に入力される。システムバス１４に入力された混合ストリームは、マイコン１１の制御のもとに、混合ストリーム再生Ｉ／Ｆ部４３に入力されて、混合ストリーム再生Ｉ／Ｆ部４３により、デジタルテレビチューナ部１からの混合ストリームと同一の混合ストリームの状態、あるいは、各ストリームがインターリーブされて織り込まれたストリーム状態のデータプロトコルに形成し直されて、入力混合ストリーム切り替え部（スイッチ部）４１のＰ端側へ入力される。入力混合ストリーム切り替え部スイッチ４１は、記録の場合、あるいは、記録しないで各ストリームの時間軸をシフトして視聴する場合（混合ストリームの各ストリームについてのスリップ再生を行う場合）は、Ｒ端側に切り替わり、ＨＤＤ４５からの再生の場合には、Ｐ端側に切り替わる。
【００５１】
以上の本第２実施形態は、各ストリームのコンテンツが同一なケースで説明を行ったが、たとえば、各ストリームのコンテンツが異なる場合は、図示はしないが、ストリーム分離後に、ユーザが希望するストリームを大容量のストレージへ記録できる構成にすればよい。
【００５２】
このように、本第２実施形態では、混合ストリームの状態、あるいは、各ストリームがインターリーブされて織り込まれたストリーム状態にて、ハードディスクなどの大容量の記録媒体へ記録するので、記録位置付け動作をそれぞれのストリームについて行う必要は全くなく、ハードディスクなどに好適な連続記録を実現することができ、また、大容量の記録媒体からの再生時にも、再生位置付け動作をそれぞれのストリームについて行うことなく、ハードディスクなどに好適な連続再生を実現でき、ＨＤＤなどにおける可動メカニズムの動作負担を可及的に低減でき、ＨＤＤなどの長寿命化を図ることができる。さらに、先に述べた第１実施形態と同様に、混合ストリームの各ストリームについてのスリップ再生（時間軸シフト再生）が実現でき、さらに、スリップ再生において、従来のようにＨＤＤ、ＤＶＤドライブなどに極端な動作負担がかかることもない。
【００５３】
次に、本発明の第３実施形態に係る情報記録再生装置について説明する。本第３実施形態は、ストリームを格納する領域とリングバッファ領域とを、同一の記録媒体に構築するようにした場合の適用例である。
【００５４】
図５は、本第３実施形態の情報記録再生装置で用いる記録媒体を示す図で、同図では説明を簡略化するために、リングバッファ領域は１つのストリームのみに対応したものを示してあるが、実際には、複数のストリームに対応して、図５に示すリングバッファ領域が複数設けられる。なお、本第３実施形態でいうストリームを格納するストリーム格納領域とは、前記した図２に示すストリーム格納領域２２に相当するものである。
【００５５】
図５に示すように、記録媒体５１をリングバッファ領域５２とストリーム格納領域５２に、領域を分ける。前記ストリームの単位時間当たりのデータ量（以下、情報レートと記す）が、コンテンツ毎に異なる場合が考えられる。たとえば、コンテンツＡの場合は１０Ｍｂｐｓ（ｂｉｔ／ｓｅｃ）の情報レート、コンテンツＢの場合は５Ｍｂｐｓの情報レート、コンテンツＣの場合は２．５Ｍｂｐｓの情報レートを仮定する。このような各コンテンツにおいて、リングバッファの領域サイズがすべて同一な場合、それぞれのリングバッファ記録時間は、コンテンツＡをＴ時間とすれば、コンテンツＢの場合は２倍の２Ｔ時間、コンテンツＣの場合は４倍の４Ｔ時間となる。しかし、ユーザの使い勝手からすれば、ストリームの情報レートが変化しても、リングバッファへの記録時間は常に同一な時間である方が、使い勝手が良いケースが多い。
【００５６】
そこで、本第３実施形態では、リングバッファの領域サイズは、固定サイズに設定し、コンテンツのストリームの情報レートが変更された場合でも、情報記録再生装置の最高の情報レートにおけるリングバッファの記録時間長を、すべてに適応する構成とする。これを実現するために、本第３実施形態では、リングバッファの一巡するアドレスカウンタ値の上限値を、上記の情報レートに応じて変更する構成とした。アドレス循環カウンタの折り返しアドレスは、情報レートの比率に対応して、コンテンツＡ：コンテンツＢは、２：１の比率で、コンテンツＡ：コンテンツＣは、４：１の比率で、アドレスカウンタの上限値を切り替える。図５に示した例では、情報レート最高値を１０Ｍｂｐｓとしている。したがって、コンテンツＡは、時間Ｔ分のリングバッファとして動作する。同様に、コンテンツＢ、コンテンツＣにおいても、同じ時間Ｔのリングバッファとして動作することなる。すなわち、図５に示すとおり、コンテンツＢでは、リングバッファ５２全体の１／２は未使用領域となり、コンテンツＣでは、リングバッファ５２全体の３／４は未使用領域となる。
【００５７】
このような構成とすることにより、リングバッファ領域は連続なシーケンシャルストリーム記録とすることができ、記録媒体５１としてハードディスクなどを採用しても、ハードディスクなどの記録位置付けを繰り返し行う必要はなく、連続ストリーム記録に好適なデータ記録を行うことができる。
【図面の簡単な説明】
【００５８】
【図１】本発明の第１実施形態に係る情報記録再生装置の構成を示すブロック図である。
【図２】本発明の実施形態におけるリングバッファのアドレス発生動作の様子を示す説明図である。
【図３】本発明で取り扱う混合ストリームと、混合ストリームから分離されたストリームなどを示す説明図である。
【図４】本発明の第２実施形態に係る情報記録再生装置の構成を示すブロック図である。
【図５】本第３実施形態の情報記録再生装置で用いる記録媒体の領域を示す説明図である。
【符号の説明】
【００５９】
１  デジタルテレビチューナ部
２  ストリーム分離部
３  第１のリングバッファ
４  第２のリングバッファ
５  第３のリングバッファ
６  スイッチ部
７  デコーダ部
８  モニタ部
９  ＴＣ発生部
１０  ＴＣＷＲ部
１１  マイコン
１２  ＴＣＲＤ部
１３  ＡＤＲ発生部
１３ａ  ＷＲ  ＡＤ発生部
１３ｂ  ＲＤ  Ｓｙｎｃ  ＡＤ発生部
１４  システムバス
１５  チャンネル選択入力部
１６  受信入力部
２１  コンテンツ管理情報格納領域
２２  ストーム格納領域
４１  入力混合ストリーム切り替え部
４２  混合ストリーム記録Ｉ／Ｆ部
４３  混合ストリーム再生Ｉ／Ｆ部
４４  ＨＤＤＩ／Ｆ部
４５  ＨＤＤ
５１  記録媒体
５２  リングバッファ領域
５３  ストリーム格納領域
【図１】
2005251330.tif 000003
【図２】
2005251330.tif 000004
【図３】
2005251330.tif 000005
【図４】
2005251330.tif 000006
【図５】
2005251330.tif 000007